(57)【要約】【課題】刈り込み鋏の軸柄がスライド移動して長さを調整し、片手刈り込み鋏にも、両手刈り込み鋏にもできる長さ調整付き刈り込み鋏を提供する。【解決手段】片手刈り込み鋏に延長された軸柄を設け、握り部に軸柄スライド異動可能な収納部及び固定装置を設け、軸柄をスライド移動することによって長さを調整し、片手刈り、及び両手刈り兼用にできることを特長とする刈り込み鋏。【選択図】図２
2007195964.tif 000002
【特許請求の範囲】
【請求項１】
延長された軸柄を有する刈り込み刃一対を、中間位置で軸により回動可能に取り付けた鋏対と前記各軸柄をそれぞれスライド移動可能に収納する収納部を有する一対の握り部と、任意のスライド位置で軸柄と握り部を固定する固定手段とよりなる長さ調節付き刈り込み鋏。
【請求項２】
延長された軸柄を有する刈り込み刃一対を、中間位置で軸により回動可能に取り付けた鋏対と前期各軸柄をそれぞれスライド移動可能に収納する収納部を有する一対の握り部と、所定のスライド位置で、軸柄と握り部を固定する固定手段とよりなる長さ調整付き刈り込み鋏。
【発明の詳細な説明】
【技術分野】
【０００１】  本発明は刈り込みを行う時に片手刈り鋏にも両手刈り鋏にもできる刈り込み鋏である。
【背景技術】
【０００２】  従来の片手刈り込み挟みは通常の片手で使用する片手鋏の刈り込み刃の部分を刈り込み用に長くして軸柄と握り部は一体となっていた。
【発明の開示】
【発明が解決しようとする課題】
【０００３】  そのために次のような問題点があった。片手で刈り込み作業をするので特に掌、腕、肩などの疲労が早くなり、又、脚立等の用具の使用や移動回転も多くなり、疲労が増すため手を休めたりする。そのために作業が断続的になり効率が悪い。本発明は以上のような問題点を解決しようとするものである。
【課題を解決するための手段】
【０００４】  延長された軸柄を有する刈り込み刃一対を、中間位置で軸により回動可能に取り付けた鋏体と、前記各軸柄をそれぞれスライド移動可能に収納する収納部を一対の握り部に設け、任意、及び所定のスライド位置で軸柄と握り部を固定する固定手段とよりなる長さを調整することができるように構成される。
【発明の効果】
【０００５】  本発明は片手刈り両手刈り両方の使用が可能なため、利便性が高くなり、そのために刈り込み作業の位置や脚立等の用具の移動回転、両手刈り専用鋏との交換等が少なくなり、又、無理な作業体勢から生じる身体の疲労が軽減され、特に掌や腕、肩等の疲労が大幅に軽減されて一連の作業が合理的に進められ、作業効率がたいへんよくなる。
【発明を実施するための最良の形態】
【０００６】  以下、本発明の実施の形態について図１〜図１０を用いて説明する。
本発明は図３に示す鋏体と各鋏体の軸柄（４）に取り付けられる一対の握り部（２）と鋏体と握り部（２）を長さ調整可能に固定する固定手段から構成される。
図３に示すものが鋏体である。鋏体は刃部と、刃部から延設された軸柄（４）からなる一対の刈り込み刃（１）を中間部に設けられた図８に示す回動機構で回動可能に取り付けられたものである。この際刃部は対向する刃部に向けて設けられる。
軸柄（４）は端部から中間部付近までが断面が同形状となる柱形状となっている。各軸柄（４）の端部付近には図９に示すように、側面方向に抜けたネジ孔（６）が設けられている。
回動機構としては、図９に示すように刈り込み刃中間の軸孔（１０）を合わせた状態で図８に示す軸（８）とワッシャー（９）により回動可能にとめる構成がとられている。
握り部（２）は図４に示すように対象形状の一対の部材から構成されている。本事例においては、手を挿入する手挿入部の内側に収納部（７）が設けられている。この収納部（７）は軸柄挿入側から前記鋏体の軸柄（４）が十分収納可能に挿入できる深さとなっている。
また、収納部（７）の内形状は前記軸柄（４）の外形に近似したもので軸柄（４）の収納時にがたつきが生じないようになっている。
収納部（７）の側面には軸柄（４）の挿入移動方向に沿って収納部（７）に達するスライド溝（５）が設けられており、図１０に示すように長さ調整時に調整可能にするために軸柄（４）のネジ孔（６）がスライド溝（５）から露出するようになっている。長さ調整可能な固定手段は鋏体軸柄（４）のネジ孔（６）と握り部（２）の収納部（７）及びスライド溝（５）と固定装置である調整ネジ（３）により構成されている。図５に示すように各軸柄（４）を収納部（７）に挿入し、長さ調整用の調整ネジ（３）がスライド溝（５）の側面から露出したネジ孔（６）に届くとともに締め付けにより握り部（２）に固定されるようになっている。
尚、図６は前記固定手段である調整ネジ（３）をゆるめた場合を示し、図７は前記固定手段である調整ネジ（３）を締め付けた場合を示すものである。
本発明は以上の構成よりなる。
以下、本発明の使用方法を説明する。
図１に示すように前記鋏体の一対の軸柄（４）を前記一対の握り部（２）に設けられた収納部（７）に挿入し、スライド移動させ収納し、任意の位置で前記調整ネジ（３）を前記スライド溝（５）を通し、軸柄（４）に設けられた前記ネジ孔（６）に取り付け締め付ける。それによって前記鋏体と握り部（２）が固定される。その上で片手の掌を前記一対の握り部（２）に挿入し、これを握って通常の片手鋏のようにして片手で片手用刈り込み鋏として使用する。
両手用刈り込み鋏として使用するときは図２に示すように前記鋏体の一対の軸柄（４）を前記一対の握り部（２）に設けられた収納部（７）に挿入し、スライド移動させ収納し、任意の位置で前記調整ネジ（３）をスライド溝（５）を通し、前記軸柄（４）に設けられたネジ孔（６）に取り付けて締め付け、前記鋏体と一対の握り部（２）を固定し、一対の各左右の握り部（２）全体を各左右の各掌で握って両腕を使って使用する。
又、片手用から両手用及び両手用から片手用に仕様変更をする場合は、前記調整ネジ（３）を一旦ゆるめ、前記鋏体と握り部（２）を固定解除した上で、それぞれの使用位置にスライド移動して調整ネジ（３）を締め付け、鋏体と握り部（２）を再度固定して片手用、及び両手用として使用する。
又、図１に示すように片手刈り込み用刈り込み鋏としての状態の場合も、各左右の握り部（２）を各左右の両手で握って両手刈り用として使用することもできる。以上刈り込み鋏が伸縮できることによって、狭い所や高所、又、両手刈り専用鋏ではやりづらい所などあらゆる刈り込み作業場面で効率的に作業を行うことができる。【０００７】  以下、本発明の第二の形態について図３及び図１０〜図１４を利用して説明する。
図１３に示すように前記第一実施の鋏体の軸柄部を外側に開いた形状の軸柄（１１）とし、図１４に示す握り部（１４）と取り付け可能にしたものである。
軸柄（１１）は軸柄部の中間部付近で握り部（１４）に設けられた収納部（１３）の軸柄挿入側に向かって折り曲げられ、そこより端までは断面が収納部（１３）の形状と同形状の柱形状となっている。各軸柄（１１）の端部付近には図３に示す前記第一実施の固定装置であるネジ孔（６）と同様のネジ孔（１２）が側面方向に抜けて設けてある。図１４に示すように握り部（１４）は対象形状の一対の部材から構成されていて手を挿入する、手挿入部の外側に収納部（１３）が設けられている。収納部（１３）は軸柄挿入側から前記軸柄（１１）が十分収納可能に挿入できる深さとなっていて、その内形状は軸柄（１１）の外形に近似したもので軸柄収納時にがたつきが生じないようになっている。
収納部（１３）の側面には、軸柄（１１）挿入移動方向に沿って収納部に達するスライド溝（１６）が設けられており、前記軸柄（１１）のネジ孔（１２）が図１０に示すように前記第一実施のネジ孔と同様にスライド溝（１６）から露出するようになっている。
長さ調整可能な固定手段は軸柄（１１）のネジ孔（１２）と握り部（１４）の収納部（１３）及び、スラド溝（１６）と固定装置の調整ネジ（１５）により構成され、各軸柄（１１）を収納部（１３）に挿入し、スライド溝（１６）側面から露出したネジ孔（１２）に調整ネジ（１５）が届くとともに、締め付けにより握り部（１４）に固定されるようになっている。
本発明の第二の実施形態は以上の構成よりなる。
以下、本発明の第二の形態の使用方法を説明する。
図１１に示すように前記鋏体の一対の軸柄（１１）を前記一対の握り部（１４）に設けられた前記収納部（１３）に挿入し、スライド移動させ収納し、任意の位置で前記調整ネジ（１５）を前記スライド溝（１６）を通し、軸柄（１１）に設けられた前記ネジ孔（１２）に取り付け締め付ける。それによって前記鋏体と握り部（１４）が固定される。
その上で片手の掌を前記一対の握り部（１４）に挿入し、これを握って通常の片手鋏のようにして、片手で片手用刈り込み鋏として使用する。
両手用刈り込み鋏として使用するときは、図１２に示すように、前記鋏体の一対の軸柄（１１）を前記一対の握り部（１４）に設けられた前記収納部（１３）に挿入し、スライド移動させ、収納し、任意の位置で前記調整ネジ（１５）を前記スライド溝（１６）を通し、前記軸柄（１１）に設けられたネジ孔（１２）に取り付けて締め付け、前記鋏体と一対の握り部（１４）を固定し、一対の各左右の握り部（１４）全体を各左右の各掌で握って両腕を使って使用する。
又、片手用から両手用及び、その逆にしよう変更をする場合は、前記調整ネジ（１５）を一旦ゆるめ、前記鋏体と握り部（１４）を固定解除した上でそれぞれの使用位置にスライド移動して調整ネジ（１５）を締め付け、鋏体と握り部（１４）を再度固定して片手刈り用及び、両手刈り用として使用する。
又、図１１に示すように、片手刈り込み鋏として短縮された状態の場合も、各左右の握り部（１４）を各左右の両手で握って、両手刈り用として使用することもできる。
以上のように刈り込み鋏が伸縮できることによって、狭い所や高所、又、両手刈り専用鋏ではやりづらい所などあらゆる刈り込み作業場面で効率的に作業を行うことができる。【０００８】  次に本発明の第三の形態について図８、図９、図１５から図２６を用いて説明する。
本発明は鋏体と各鋏体の軸柄（２０）に取り付けられる一対の握り部（１７）と鋏体と握り部（１７）を長さ調整可能に固定する固定手段から構成される。
図１８に示すものが鋏体である。鋏体は刃部と刃部から延設された軸柄（２０）からなる一対の刈り込み刃（１）を中間部に設けられた図８に示す回動機構で回動可能に取り付けられたものである。この際刃部は対向する刃部に向けて設けられる。
図１８に示す軸柄（２０）は端部から中間部付近までが断面が同形状となる柱形状となってしいる。各軸柄（２０）の端部付近には図２５に示すように、正面方向に向けた図２４に示すストッパー（２１）を取り付けるためのネジ孔（２４）と側面方向に向いた調整孔（２２）が所定の位置に段階的に設けられていて、図２３に示す調整ネジ（１８）の先端を受け止めるようになっている。
尚、調整ネジ（１８）はつまみ部（２５）に滑り止めがついていて、回転させ締め付けるときに都合がよくなっている。図２４に示すストッパー（２１）は図２６に示すように前記軸柄（２０）より突出した状態に取り付けられ前記調整ネジ（１８）がゆるめてあっても前記軸柄（２０）より握り部（１７）が外れないようになっている。
回動機構は、図１９に示すように第一、第二の形態と同様の刈り込み刃中間に設けられた軸孔（１０）を合わせた状態で図８に示す第一、第二の形態と同様の軸（８）とワッシャー（９）により回動可能にとめる構成がとられている。
握り部（１７）は図１７に示すように対象形状の一対の部材から構成されていて、図２２に示すように手を挿入する手挿入部の内側前方に収納部（１９）が設けられている。この収納部（１９）は図１５に示すように前記鋏体の軸柄（２０）の挿入側から挿入し、突き抜ける状態で収納され、且つスライド移動可能になっている。
又、収納部（１７）の内形状は前記軸柄（２０）の外断面と近似しており、軸柄（２０）の収納時にがたつきが生じないようになっている。図１７、図２２に示すように収納部（１９）の側面前方の端部には調整ネジ孔（２３）が設けられており、図１９に示すように長さ調整時に調整可能にするために前記軸柄（２０）に設けられた調整孔（２２）に達するようになっている。
長さ調整可能な固定手段は図１８に示す前記鋏体軸柄（２０）の調整孔（２２）と図１７に示す握り部（１７）の収納部（１９）及び図１９に示す調整ネジ孔（２３）、図２３に示す固定装置であるつまみ部（２５）を有する調整ネジ（１８）により構成されている。
図２０に示すように前記各軸柄（２０）を前記各収納部（１９）に挿入し、スライド移動させ、長さ調整用の調整ネジ（１８）を前記収納部（１９）の調整ネジ孔（２３）に取り付け、前記軸柄（２０）の調整孔（２２）に届くとともに締め付けることにより、軸柄（２０）と握り部（１７）が固定されるようになっている。尚、図２１は前記調整ネジ（１８）をゆるめた状態を示すものである。
本発明は以上の構成よりなる。
以下、本発明の第三の形態の使用方法を説明する。
図１５に示すように前記鋏体の一対の軸柄（２０）を前記一対の握り部（１７）に設けられた収納部（１９）に挿入し、スライド移動させ収納し所定の位置で前記長さ調整用の調整ネジ（１８）を前記収納部（１９）の調整ネジ孔（２３）に取り付け、前記軸柄（２０）に設けられた調整孔（２２）に届くように締め付ける。それによって前記鋏体と握り部（１７）が固定される。次に図２６に示すようにストッパー（２１）を取り付ける。その上で片手の掌を前記一対の握り部（１７）に挿入し、これを握って通常の片手鋏のようにして、片手で片手用刈り込み鋏として使用する。
両手用刈り込み鋏として使用するときは図１６に示すように、前記鋏体の一対の軸柄（２０）を前記一対の握り部（１７）に設けられた収納部（１９）に挿入し、スライド移動させ収納し、前記軸柄（２０）を長くし、所定の位置にスライド移動して長さ調整用の前記調整ネジ（１８）を前記収納部（１９）の調整ネジ孔（２３）に取り付け、前記軸柄（２０）の調整孔（２２）に届くように締め付け、前記鋏体と握り部（１７）を固定し、次に図２６に示すようにストッパー（２１）を取り付け、その上で一対の各左右の握り部（１７）全体を各左右の各掌で握って両腕を使って両手刈り込み鋏として使用する。
又、片手刈り用から両手刈り用及び、その逆に使用変更をする場合は、前記調整ネジ（１８）を図２１に示すように一旦ゆるめ、前記鋏体と握り部（１７）を固定解除した上で片手用、又は両手用のそれぞれの使用位置にスライド移動して前記調整ネジ（１８）を締め付け、鋏体と握り部（１７）を再度固定して片手刈り用及び、両手刈り用刈り込み鋏として使用する。
又、図１５に示すように、片手刈り込み鋏として短縮された状態の場合も、各左右の握り部（１７）を各左右の両手で握って、両手刈り用刈り込み鋏として使用することもできる。
又、長さ調整時に前記長さ調整用の調整ネジ（１８）の位置が前記一対の軸柄（２０）の所定の位置に設けられた調整孔（２２）の位置ではなく、任意の位置でも前記鋏体と握り部（１７）の固定は可能である。したがって任意のスライド位置でも片手用及び両手用刈り込み鋏として利用することができる。
以上のように刈り込み鋏の軸柄が伸縮できることによって、利便性が向上し、それによって狭い所や高所、又、両手刈り専用鋏ではやりづらい所などあらゆる場面で刈り込み作業がスムーズで便利になり、身体の疲労も軽減され、効率よく刈り込み作業を行うことができる。
【図面の簡単な説明】
【０００９】
【図１】  本発明の斜視図
【図２】  本発明の斜視図
【図３】  本発明の分解斜視図
【図４】  本発明の一部と内部を示す分解斜視図
【図５】  本発明の一部を切り開いた正面図
【図６】  本発明の一部を切り開いた正面図
【図７】  本発明の一部を切り開いた正面図
【図８】  本発明の一部と内部を示す正面図
【図９】  本発明の一部の内部を示す正面図
【図１０】  本発明の一部と内部を示す側面図
【図１１】  本発明の他の実施例を示す斜視図
【図１２】  本発明の他の実施例を示す斜視図
【図１３】  本発明の他の実施例の分解斜視図
【図１４】  本発明の他の実施例の一部と内部を示す分解斜視図
【図１５】  本発明の他の実施例の斜視図
【図１６】  本発明の他の実施例の斜視図
【図１７】  本発明の他の実施例の分解斜視図
【図１８】  本発明の他の実施例の分解斜視図
【図１９】  本発明の他の実施例の一部の内部と一部を切り開いた正面図
【図２０】  本発明の他の実施例の一部を切り開いた正面図
【図２１】  本発明の他の実施例の一部を切り開いた正面図
【図２２】  本発明の他の実施例の一部と内部を示す斜視図
【図２３】  本発明の他の実施例の一部の斜視図
【図２４】  本発明の他の実施例の一部の斜視図
【図２５】  本発明の他の実施例の一部を示す側面図
【図２６】  本発明の他の実施例の一部を示す側面図
【符号の説明】
【００１０】  １    刈り込み刃
２    握り部
３    調整ネジ
４    軸柄
５    スライド溝
６    ネジ孔
７    収納部
８    軸
９    ワッシャー
１０  軸孔
１１  他の実施例の軸柄
１２  他の実施例のネジ孔
１３  他の実施例の収納部
１４  他の実施例の握り部
１５  他の実施例の調整ネジ
１６  他の実施例のスライド溝
１７  他の実施例の握り部
１８  他の実施例の調整ネジ
１９  他の実施例の収納部
２０  他の実施例の軸柄
２１  他の実施例のストッパー
２２  他の実施例の調整孔
２３  他の実施例の調整ネジ孔
２４  他の実施例のネジ孔
２５  他の実施例のつまみ部
【図１】
2007195964.tif 000003
【図２】
2007195964.tif 000004
【図３】
2007195964.tif 000005
【図４】
2007195964.tif 000006
【図５】
2007195964.tif 000007
【図６】
2007195964.tif 000008
【図７】
2007195964.tif 000009
【図８】
2007195964.tif 000010
【図９】
2007195964.tif 000011
【図１０】
2007195964.tif 000012
【図１１】
2007195964.tif 000013
【図１２】
2007195964.tif 000014
【図１３】
2007195964.tif 000015
【図１４】
2007195964.tif 000016
【図１５】
2007195964.tif 000017
【図１６】
2007195964.tif 000018
【図１７】
2007195964.tif 000019
【図１８】
2007195964.tif 000020
【図１９】
2007195964.tif 000021
【図２０】
2007195964.tif 000022
【図２１】
2007195964.tif 000023
【図２２】
2007195964.tif 000024
【図２３】
2007195964.tif 000025
【図２４】
2007195964.tif 000026
【図２５】
2007195964.tif 000027
【図２６】
2007195964.tif 000028